(57)【要約】【課題】圧縮機を室外機の底フレーム上に安定して固定する。【解決手段】圧縮機支持構造１は、３つの圧縮機固定用ボルト１０と補強板２０とを備えている。そして、圧縮機固定用ボルト１０は、底フレーム１３１に設けられた３つのボルト取付孔３２ｂに嵌挿され、鍔部１３と底フレーム１３１に対して鍔部１３と反対側に配置されたかしめ部１１ａとで底フレーム１３１にそれぞれ保持される。また、補強板２０は、３つの圧縮機固定用ボルト１０において、鍔部１３と底フレーム１３１との間にそれぞれ配置された補強部２１を有し、それらの補強部２１は互いに連結されて構成されている。【選択図】図３
2008164180.tif 000002
【特許請求の範囲】
【請求項１】
空気調和機用室外機（１００）の底フレーム（１３１）に設けられた複数のボルト取付孔（３２ｂ）に嵌挿され、鍔部（１３）と前記底フレームに対して前記鍔部と反対側に配置された保持部（１１ａ）とで前記底フレームにそれぞれ保持される複数の圧縮機固定用ボルト（１０）と、
前記複数の圧縮機固定用ボルトのうちの少なくとも２つの圧縮機固定用ボルトにおいて、前記鍔部と前記底フレームとの間または前記保持部と前記底フレームとの間にそれぞれ配置された補強部（２１、２２１）が互いに連結されて構成された補強板（２０、２２０）とを備えていることを特徴とする圧縮機支持構造（１）。
【請求項２】
前記ボルト取付孔（３２ｂ）は、前記底フレーム（１３１）が部分的に隆起した鍔部載置部（３２ａ）に設けられており、
前記補強部（２１、２２１）は、前記鍔部（１３）と前記鍔部載置部との間に配置され且つ前記鍔部載置部の外縁部から外側に突出していることを特徴とする請求項１に記載の圧縮機支持構造（１）。
【請求項３】
前記補強板（２０）は、正ｎ角形状（ｎは３以上の整数）のそれぞれの角部に対応した位置に配置されたｎ個の補強部（２１）を有しており、
前記補強板の重心は前記補強板の中心軸上にあることを特徴とする請求項１または２に記載の圧縮機支持構造（１）。
【請求項４】
前記補強板（２０、２２０）の厚さは、前記底フレーム（１３１）の厚さの１／２より厚いことを特徴とする請求項１〜３のいずれか１項に記載の圧縮機支持構造（１）。
【発明の詳細な説明】
【技術分野】
【０００１】
本発明は、圧縮機支持構造に関し、特に、空気調和機用室外機の底フレームに保持される圧縮機固定用ボルトにより圧縮機を固定する圧縮機支持構造に関する。
【背景技術】
【０００２】
一般に、空気調和機は、室内熱交換器やファンなどが室内機ケーシングに収納された室内機と室外熱交換器や圧縮機などが室外機ケーシングに収納された室外機とを備える。そして、圧縮機は、室外機ケーシングの一部である底フレームに設置されて、圧縮機固定用ボルトにより底フレームに固定される（例えば、特許文献１参照）。
【０００３】
上記特許文献１には、底フレームのボルト取付部を鍔部と保持部とで挟持することにより底フレームに対して立設される圧縮機固定用ボルトを用いて圧縮機を固定する圧縮機支持構造が開示されている。また、この特許文献１に開示された圧縮機支持構造の他にも種々の圧縮機支持構造が提案されている（例えば、特許文献２及び特許文献３参照）。
【０００４】
上記特許文献２には、フラットな下板及び凸部を有する上板により構成される底フレームに取り付けられるボルトにより圧縮機を固定する圧縮機支持構造が開示されている。そして、圧縮機は、上板の凸部に載置された状態で前記ボルトにより固定される。
【０００５】
また、上記特許文献３に開示される圧縮機支持構造では、底フレームと圧縮機の脚部との間に一対の平行フレームを配置して、底フレームの貫通孔及び平行フレームの貫通孔に挿入されたボルトで、一対の平行フレーム上に載置された圧縮機の脚部を底フレームに固定している。
【０００６】
【特許文献１】特開２００５−５５１２９号公報
【特許文献２】特開平５−２９６４９６号公報
【特許文献３】特開平１０−３１８５６１号公報
【発明の開示】
【発明が解決しようとする課題】
【０００７】
しかしながら、上記特許文献１に開示された圧縮機支持構造を用いて、重量の大きい圧縮機を設置する場合には、底フレームの強度が不足し、製品落下時などの衝撃で底フレームが変形して、圧縮機固定用ボルトが傾いたり、底フレームと圧縮機固定用ボルトの鍔部又は保持部との間が緩んだりするなどの問題が生じていた。そのため、大型の圧縮機を安定して固定することができないという問題があった。そこで、重量の大きい大型の圧縮機を設置する場合には、底フレームの板厚を厚くすることで強度を確保していたが、新たな金型の作成などコストアップにつながっていた。
【０００８】
また、上記特許文献２に開示された圧縮機支持構造を用いて、重量の大きい圧縮機を設置する場合には、圧縮機が設置される上板の凸部の強度が不足し、製品落下時などの衝撃で上板が変形して、ボルトが傾いたり、上板が変形したりするなどの問題が生じていた。そのため、大型の圧縮機を安定して固定することができないという問題があった。
【０００９】
また、上記特許文献３に開示された圧縮機支持構造を用いて、重量の大きい圧縮機を設置する場合に、製品落下時などの衝撃がその衝撃の加わり方により一方の平行フレームのみに集中するという不都合があった。そのため、その衝撃に起因する荷重により一方の平行フレームが変形して、圧縮機を安定して固定することができないという問題があった。
【００１０】
そこで、この発明は、上記のような課題を解決するためになされたものであり、圧縮機を安定して固定することが可能な圧縮機支持構造を提供することを目的とする。
【課題を解決するための手段】
【００１１】
第１の発明にかかる圧縮機支持構造は、空気調和機用室外機の底フレームに設けられた複数のボルト取付孔に嵌挿され、鍔部と底フレームに対して鍔部と反対側に配置された保持部とで底フレームにそれぞれ保持される複数の圧縮機固定用ボルトと、複数の圧縮機固定用ボルトのうちの少なくとも２つの圧縮機固定用ボルトにおいて、鍔部と底フレームとの間または保持部と底フレームとの間にそれぞれ配置された補強部が互いに連結されて構成された補強板とを備えている。
【００１２】
この圧縮機支持構造では、鍔部と底フレームとの間または保持部と底フレームとの間に補強部を設けるとともにその補強部を互いに連結することによって、製品落下などによる衝撃が底フレームの１つのボルト取付孔近傍に集中的に加わったとしても、その衝撃に係る荷重を他のボルト取付孔近傍に分散することができる。その結果、圧縮機を安定して固定することができる。なお、本発明の場合には、底フレームの形状や板厚を変更して底フレームの強度を向上させる場合と異なり、新たな底フレームを作成するための金型が不要であり、底フレームの設計変更に伴うコスト増加がないので、底フレームのコストアップを抑制することができる。
【００１３】
第２の発明にかかる圧縮機支持構造は、第１の発明にかかる圧縮機支持構造において、ボルト取付孔は、底フレームの一部を上方に隆起させて形成された鍔部載置部に設けられており、補強部は、鍔部と底フレームとの間に配置され且つ鍔部載置部の外縁部から外側に突出している。
【００１４】
この圧縮機支持構造では、圧縮機に落下などの衝撃が加わり圧縮機を傾斜させる力が作用した場合に、圧縮機固定用ボルトの鍔部が隆起した鍔部載置部に対して当該鍔部載置部を変形させる荷重を加える。この際、補強部が鍔部載置部の外縁部から外側に突出しているので、前記した荷重が鍔部載置部の外縁部に分散される。これにより、底フレームの許容荷重が向上して、剛性不足となることがないので、圧縮機固定用ボルトが傾いてしまうのを抑制することができる。その結果、圧縮機をより安定して固定することができる。
【００１５】
第３の発明にかかる圧縮機支持構造は、第１又は第２の発明にかかる圧縮機支持構造において、補強板は、正ｎ角形状（ｎは３以上の整数）のそれぞれの角部に対応した位置に配置されたｎ個の補強部を有しており、補強板の重心は補強板の中心軸上にある。
【００１６】
この圧縮機支持構造では、正ｎ角形状（ｎは３以上の整数）のそれぞれの角部に対応した位置にｎ個の補強部を配置し、その補強部を含む補強板の重心を補強板の中心軸上にすることによって、製品落下などにより圧縮機を傾斜させる力が加わったとしても、その傾斜させる力が底フレームの１つのボルト取付孔近傍に集中せず均等に分散する。その結果、大型の圧縮機もより安定して固定することができる。
【００１７】
第４の発明にかかる圧縮機支持構造は、第１〜第３の発明のいずれかにかかる圧縮機支持構造において、補強板の厚さは、底フレームの厚さの１／２より厚い。
【００１８】
この圧縮機支持構造では、底フレームの厚みが小さくその機械的強度が小さい場合でも、底フレームの厚さの１／２より厚い補強板を追加するだけで、底フレームの機械的強度を向上させることができる。また、補強板の厚みを変更することで、容易に底フレームの機械的強度を調整することができる。
【発明の効果】
【００１９】
以上の説明に述べたように、本発明によれば、以下の効果が得られる。
【００２０】
第１の発明では、鍔部と底フレームとの間または保持部と底フレームとの間に補強部を設けるとともにその補強部を互いに連結することによって、製品落下などによる衝撃が底フレームの１つのボルト取付孔近傍に集中的に加わったとしても、その衝撃に係る荷重を他のボルト取付孔近傍に分散することができる。その結果、圧縮機を安定して固定することができる。なお、本発明の場合には、底フレームの形状や板厚を変更して底フレームの強度を向上させる場合と異なり、新たな底フレームを作成するための金型が不要であり、底フレームの設計変更に伴うコスト増加がないので、底フレームのコストアップを抑制することができる。
【００２１】
第２の発明では、補強部が鍔部載置部の外縁部から外側に突出しているので、落下などの衝撃による荷重が鍔部載置部の外縁部に分散される。これにより、底フレームの許容荷重が向上して、剛性不足となることがないので、圧縮機固定用ボルトが傾いてしまうのを抑制することができる。その結果、圧縮機をより安定して固定することができる。
【００２２】
第３の発明では、製品落下などにより圧縮機を傾斜させる力が加わったとしても、その傾斜させる力が底フレームの１つのボルト取付孔近傍に集中せず均等に分散する。その結果、大型の圧縮機もより安定して固定することができる。
【００２３】
第４の発明では、底フレームの厚さの１／２より厚い補強板を追加するだけで、底フレームの機械的強度を向上させることができる。また、補強板の厚みを変更することで、容易に底フレームの機械的強度を調整することができる。
【発明を実施するための最良の形態】
【００２４】
以下、図面に基づいて、本発明にかかる圧縮機支持構造の実施形態について説明する。
【００２５】
図１は、本発明の一実施形態による圧縮機支持構造が用いられる室外機の斜視図である。図２は、本発明の一実施形態による圧縮機支持構造が設けられた底フレームの平面図であり、図３は、図２に示した圧縮機支持構造の分解斜視図である。図４は、図２に示した圧縮機支持構造の補強板の平面図である。そして、図５及び図６は、図２に示した圧縮機支持構造の断面図である。以下、図１〜図６を参照して、本発明の一実施形態による圧縮機支持構造について説明する。
【００２６】
空気調和機は、室内機（図示せず）と室外機１００とを備えている。そして、室内機は、ケーシング内に収容された室内熱交換器やファンなどを有し、室外機１００は、ケーシング１３０に収容された室外熱交換器、圧縮機１１０（図３参照）及びファンなどを有している。そして、室外機１００のケーシング１３０は、床に設置される脚部１４０が取り付けられる底フレーム１３１を備えている。
【００２７】
底フレーム１３１には、圧縮機１１０（図３参照）や室外熱交換器（図示せず）などが設置される。そして、底フレーム１３１は、図２及び図３に示すように、略矩形状の板金からなり、その縁部には、上方に延びる立上片３１が形成されている。そして、底フレーム１３１には、圧縮機１１０を設置するための圧縮機設置部３２や熱交換器を設置するための熱交換器設置部３３などが設けられている。
【００２８】
底フレーム１３１の圧縮機設置部３２には、図３に示すように、底フレーム１３１の一部を上方に隆起させることにより形成された断面台形状（図４及び図５参照）の３つの鍔部載置部３２ａが形成されている。各鍔部載置部３２ａは、図５及び図６に示すように、後述する補強板２０が当接する上壁３２１ａと、この上壁３２１ａに接続される斜面状の側壁３２２ａとを含み、外形が円錐台形状（図３参照）となる。３つの鍔部載置部３２ａの上壁３２１ａのそれぞれには、後述する圧縮機固定用ボルト１０の下部が嵌挿されるボルト取付孔３２ｂが形成されている。そして、３つのボルト取付孔３２ｂは、正三角形Ｄのそれぞれの頂点に対応した位置に形成されている。
【００２９】
そして、上記した底フレーム１３１には、図２に示すように、本実施形態による圧縮機支持構造１により圧縮機１１０が固定される。そして、圧縮機支持構造１は、圧縮機固定用ボルト１０と補強板２０とを備えている。
【００３０】
圧縮機固定用ボルト１０は、図３に示すように、後述する補強板２０のボルト挿入孔２１ａ及び底フレーム１３１のボルト取付孔３２ｂに嵌挿される下部１１と、ゴム脚４０の貫通孔４０ａ及び圧縮機１１０に取り付けられている取付金具１１１のボルト挿入孔１１１ａに嵌挿される上部１２と、下部１１及び上部１２との間の円盤状の鍔部１３とを含んでいる。そして、鍔部１３は、下部１１及び上部１２の外径より大きい外径を有しており、後述する補強板２０の補強部２１の上面及びゴム脚４０の下面に当接する。なお、ゴム脚４０は、圧縮機１１０の取付金具１１１と鍔部１３との間に配置されて、圧縮機１１０の振動を吸収する。また、鍔部１３は、図５及び図６に示すように、底フレーム１３１の上壁３２１ａの外径と同等の外径を有している。
【００３１】
また、圧縮機固定用ボルト１０の下部１１は、図５に示すように、補強板２０のボルト挿入孔２１ａ及び底フレーム１３１のボルト取付孔３２ｂに挿入された状態で、かしめられることにより、図６に示すかしめ部１１ａが形成される。これにより、圧縮機固定用ボルト１０は、鍔部１３と、底フレーム１３１に対して鍔部１３と反対側に形成されたかしめ部１１ａとで、底フレーム１３１に保持される。
【００３２】
また、圧縮機固定用ボルト１０の上部１２には、ネジ部１２ａが形成されている。そして、ゴム脚４０の貫通孔４０ａ及び圧縮機１１０に取り付けられている取付金具１１１のボルト挿入孔１１１ａに圧縮機固定用ボルト１０の上部１２を挿入した状態で、上部１２のネジ部１２ａにナット（図示せず）を螺着することにより、ゴム脚４０に載置された圧縮機１１０が圧縮機支持構造１に固定される。
【００３３】
補強板２０は、底フレーム１３１の厚さの１／２より厚い板金からなる。そして、補強板２０は、底フレーム１３１の３つの鍔部載置部３２ａに対応する位置に設けられる３つの補強部２１と、１つの連結部２２とから構成されている。３つの補強部２１は、連結部２２が配置される面の上方の面上に形成されている。そのため、補強板２０を底フレーム１３１上に配置した場合には、その補強部２１は底フレーム１３１の一部を上方に隆起させた鍔部載置部３２ａに当接するとともに、連結部２２は底フレーム１３１の鍔部載置部３２ａより下方の部分に当接する。また、補強板２０は、図４に示すように、正三角形Ｄの各辺の垂直二等分線に対して線対称となる形状を有しており、その重心は補強板２０の中心軸上にある。
【００３４】
また、３つの補強部２１は、３つの圧縮機固定用ボルト１０において、鍔部１３と底フレーム１３１の鍔部載置部３２ａとの間に配置される。この３つの補強部２１は、正三角形Ｄのそれぞれの角部に対応した位置に配置されている。また、補強部２１のそれぞれには、底フレーム１３１の鍔部載置部３２ａに形成されるボルト取付孔３２ｂに対応する位置にボルト挿入孔２１ａが形成されている。そして、各補強部２１は、底フレーム１３１上に配置した場合に、図５及び図６に示すように、各鍔部載置部３２ａの外縁部から外側に突出する形状を有している。
【００３５】
また、連結部２２は、正三角形Ｄのそれぞれの角部に対応した位置に配置される鍔部載置部３２ａを互いに連結している。そして、連結部２２の補強部２１との接続部分には、底フレーム１３１に形成される凸部３２ｃ（図３参照）を回避するための開口部２２ａが設けられている。これにより、当該底フレーム１３１の凸部３２ｃを開口部２２ａから突出させることにより、この凸部３２ｃが補強板２０に当接することがないので、底フレーム１３１に対して補強板２０ががたついてしまうのを防止することができる。
【００３６】
［本圧縮機支持構造の特徴］
本実施形態の圧縮機支持構造１には、以下のような特徴がある。
【００３７】
本実施形態の圧縮機支持構造１では、鍔部１３と底フレーム１３１との間に補強板２０の補強部２１を設けるとともにその補強部２１を互いに連結することによって、製品落下などによる衝撃が底フレーム１３１の１つのボルト取付孔３２ｂ近傍に集中的に加わったとしても、その衝撃に係る荷重を他のボルト取付孔３２ｂ近傍に分散することができる。その結果、圧縮機１１０を安定して固定することができる。なお、本実施形態の場合には、底フレーム１３１の形状や板厚を変更して底フレーム１３１の強度を向上させる場合と異なり、補強板２０を追加するだけなので、新たな底フレーム１３１を作成するための金型が不要であり、底フレーム１３１の設計変更に伴うコスト増加がないので、底フレーム１３１のコストアップを抑制することができる。
【００３８】
また、本実施形態の圧縮機支持構造１では、圧縮機１１０に落下などの衝撃が加わり圧縮機１１０を傾斜させる力が作用した場合に、圧縮機固定用ボルト１０の鍔部１３が隆起した鍔部載置部３２ａに対して当該鍔部載置部３２ａを変形させる荷重を加える。この際、補強部２１が鍔部載置部３２ａの外縁部から外側に突出しているので、前記した荷重が鍔部載置部３２ａの外縁部に分散される。これにより、底フレーム１３１の許容荷重が向上して、剛性不足となることがないので、圧縮機固定用ボルト１０が傾いてしまうのを抑制することができる。その結果、圧縮機１１０をより安定して固定することができる。
【００３９】
また、本実施形態の圧縮機支持構造１では、正三角形Ｄのそれぞれの角部に対応した位置に３個の補強部２１を配置し、その補強部２１を含む補強板２０の重心を補強板２０の中心軸上にすることによって、製品落下などにより圧縮機１１０を傾斜させる力が加わったとしても、その傾斜させる力が底フレーム１３１の１つのボルト取付孔３２ｂ近傍に集中せず均等に分散する。その結果、大型の圧縮機１１０もより安定して固定することができる。
【００４０】
また、本実施形態の圧縮機支持構造１では、底フレーム１３１の厚みが小さくその機械的強度が小さい場合でも、底フレーム１３１の厚さの１／２より厚い補強板２０を追加するだけで、底フレーム１３１の機械的強度を向上させることができる。また、補強板２０の厚みを変更することで、容易に底フレーム１３１の機械的強度を調整することができる。
【００４１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００４２】
例えば、上記実施形態では、３つの圧縮機固定用ボルトにおいて、鍔部と底フレームとの間にそれぞれ配置された３つの補強部が互いに連結された補強板について説明したが、本発明はこれに限らず、図７に示す変形例のように、３つの圧縮機固定用ボルトのうち選択した２つの圧縮機固定用ボルトにおいて、鍔部と底フレームとの間に配置された２つの補強部２２１が連結部２２２により連結されて構成された補強板２２０を用いてもよい。また、底フレーム１３１にボルト取付孔が４つ以上あり、４つ以上の圧縮機固定用ボルトで圧縮機を固定する場合に、その内の少なくとも２つの圧縮機固定用ボルトにおける補強部を連結してもよい。
【００４３】
また、上記実施形態では、補強板を鍔部と底フレームとの間に配置する例を示したが、本発明はこれに限らず、かしめ部と底フレームとの間に補強板を配置してもよい。
【００４４】
また、本実施形態では、かしめ部と鍔部とで圧縮機固定用ボルトを底フレームに保持する例を示したが、本発明はこれに限らず、圧縮機固定用ボルトの下部にネジ部を設けるとともに、そのネジ部にナット部材を螺着することにより、圧縮機固定用ボルトを底フレームに保持してもよい。
【産業上の利用可能性】
【００４５】
本発明を利用すれば、圧縮機を安定して固定することができる。
【図面の簡単な説明】
【００４６】
【図１】本発明の一実施形態による圧縮機支持構造が用いられる室外機の斜視図である。
【図２】本発明の一実施形態による圧縮機支持構造が設けられた底フレームの平面図である。
【図３】図２に示した圧縮機支持構造の分解斜視図である。
【図４】図２に示した圧縮機支持構造の補強板の平面図である。
【図５】図２に示した圧縮機支持構造の断面図である。
【図６】図２に示した圧縮機支持構造の断面図である。
【図７】本発明の一実施形態の変形例による圧縮機支持構造の補強板を示した斜視図である。
【符号の説明】
【００４７】
１  圧縮機支持構造
１０  圧縮機固定用ボルト
１１ａ  かしめ部（保持部）
１３  鍔部
２０、２２０  補強板
２１、２２１  補強部
２２、２２２  連結部
３２ａ  鍔部載置部
３２ｂ  ボルト取付孔
１００  室外機
１３１  底フレーム
【図１】
2008164180.tif 000003
【図２】
2008164180.tif 000004
【図３】
2008164180.tif 000005
【図４】
2008164180.tif 000006
【図５】
2008164180.tif 000007
【図６】
2008164180.tif 000008
【図７】
2008164180.tif 000009